(57)【要約】 【課題】  ブラケットに対する棚板の取付け取外し操作が簡単便宜で、棚板の高さ調整作業が簡易迅速に実行し得ると共に、棚板にかかる突き上げ力に対抗し意に反する棚板の脱落が防止でき、しかも陳列体裁の良好な棚装置を提供する。【解決手段】  棚柱５と棚柱に取り付けられるブラケット１と、ブラケットの上面に配備される棚板２とから成るものにおいて、前記ブラケット１の先端１１ｂに突き上げ力に抗して棚板２の脱落を阻止する第１の取付け支持部３を設け、基端１１ｄ側に棚板の前後・左右動を阻止する第２の取付け支持部４を備え、前記棚板２の裏面２ａに棚板２がブラケット１の上面に対しブラケット長手方向へ進退することで第１の取付け支持部３に係脱する嵌め受け部２３と、この第１の取付け支持部３と嵌め受け部２３の係り部分を支点に、棚板がブラケットの上面に対し昇降することで第２の取付け支持部４に嵌脱する嵌込み部２４を設けたことを特徴とする。【選択図】          図１
2017047144.tif 000002
【特許請求の範囲】
【請求項１】
棚柱と、棚柱に取り付けられるブラケットと、ブラケットの上面に配備される棚板とから成るものにおいて、前記ブラケットの先端に突き上げ力に抗して棚板の脱落を阻止する第１の取付け支持部を設け、基端側に棚板の前後・左右動を阻止する第２の取付け支持部を備え、前記棚板の裏面に棚板がブラケットの上面に対しブラケット長手方向へ進退することで第１の取付け支持部に係脱する嵌め受け部と、この第１の取付け支持部と嵌め受け部の係り部分を支点に、棚板がブラケットの上面に対し昇降することで第２の取付け支持部に嵌脱する嵌込み部を設けたことを特徴とする棚装置。
【請求項２】
前記第１の取付け支持部は、ブラケット先端開口に配備した水平状の丸棒軸で、第２の取付け支持部はブラケット基端に設けた嵌込み凹部であり、棚板の裏面に設ける嵌め受け部は丸棒軸に係脱する立ち上がりフック部で、嵌込み部は嵌込み凹部に嵌脱する突起状平板であることを特徴とする請求項１記載の棚装置。
【請求項３】
前記第１の取付け支持部は、ブラケット先端に設けた平板状の突出先頭部で、第２の取付け支持部はブラケット基端側に設けた段差壁とブラケット基端に備えたスライダー部と間に開く嵌込み凹部であり、棚板の裏面に設ける嵌め受け部は突出先頭部を包み込む被せ状のキャップで、嵌込み部は嵌込み凹部に嵌脱する突状平板であることを特徴とする請求項１記載の棚装置。
【請求項４】
前記スライダー部は、ブラケットの基端の窪み部上に棚柱方向へスライド可能に配備され、突出する基端側が棚柱の取付け穴に嵌脱する凹部形成兼用ストッパ部を一体に備えたことを特徴とする請求項３記載の棚柱。
【発明の詳細な説明】
【技術分野】
【０００１】
この発明は、棚装置に関する。
【背景技術】
【０００２】
図１３は、従来の棚装置を示す斜視図である。
この棚装置は、一定間隔を開いて縦方向へ複数開口する取付穴７２を備える棚柱７１と、一端に取付穴７２に係脱するフック７４を備えたブラケット７３と、ブラケット７３の棚板載せ面部７５に載せ置かれる棚板７６とから成る。
【０００３】
前記棚板載せ面部７５は、ブラケット７３の上辺を内向きに折り曲げて形成した水平状の平板である。この棚装置では、壁面などに所定間隔開いて左右一対の棚柱７１がビス止着してある。ブラケット７３は、所望の棚高さに対応する取付穴７２を選択し、フック７４を挿入して引っ掛け係止する。
【０００４】
使用に際しては、隣り合う棚柱７１間隔、すなわち隣り合うブラケット７３間隔に対応した幅を有する棚板７６を、棚板載せ面部７５上に乗せ置いて使用される。
【特許文献１】特開２００２−３４５６０９号公報
【発明の開示】
【発明が解決しようとする課題】
【０００５】
上記棚装置では、棚板と棚板載せ面部との重なり部分は、棚板の脱落を防止するために固定している。上記特許文献１には、この固定方法として、ビスで一体に固着する方式と、脱離可能な固定方式とが開示されている。
【０００６】
脱離可能な方式は、棚板載せ面部７５にネジ穴７７を設け、このネジ穴７７に有頭ネジ７８を螺着した状態で、突出するネジの頭部７８ａに対し上方から棚板７６に設けた孔７６ａを嵌合して支持する。
【０００７】
上記ビスで一体に固着する方式の場合は、棚板にかかる突き上げ力に対する抵抗力があり、脱落の虞れがない反面、棚板の高さを変更する場合は、その都度、固着ネジを脱着させる必要があり、棚板の高さ調整に手間がかかる。
【０００８】
一方、脱離可能な方式では、突出するネジ頭部に対し棚板の対応する孔を嵌挿する構造であるため、嵌脱し得る反面、棚板にかかる突き上げ力に抵抗がなく容易に棚板が脱落し危険である等の欠点がある。
【０００９】
更に、棚板の取り付けに際し、棚板を水平状に降下させつつ、棚板の孔をネジ頭部に対し嵌め挿す作業が煩瑣である許かりでなく、取り付け状態において棚板表面にネジの頭部が垂直状に立ち上がり陳列体裁を損なう等の不利があった。
【００１０】
この発明は、以上のような課題を解消させ、棚板の取り付け取り外し操作が簡単便宜で、棚板の高さ調整作業が簡易迅速に実行し得ると共に、突き上げ力に対する抵抗力が強く、意に反する棚板の脱落を防止し得、しかも陳列体裁の良好な棚装置を提供することを目的とする。
【課題を解決するための手段】
【００１１】
この目的を達成させるために、この発明の棚装置では、次のような構成としている。
棚装置は、棚柱５と、棚柱に取り付けられるブラケット１と、ブラケットの上面に配備される棚板２とから成り、前記ブラケット１の先端１１ｂに突き上げ力に抗して棚板２の脱落を阻止する第１の取付け支持部３を設け、基端１１ｄ側に棚板の前後・左右動を阻止する第２の取付け支持部４を備え、前記棚板２の裏面２ａに棚板がブラケット１の上面に対しブラケット長手方向へ進退することで第１の取付け支持部３に係脱する嵌め受け部２３と、この第１の取付け支持部３と嵌め受け部２３の係り部分を支点に、棚板がブラケットの上面に対し昇降することで第２の取付け支持部４に嵌脱する嵌込み部２４を設けたことを特徴とする棚装置。
【発明の効果】
【００１２】
このような構成を有する棚装置では、棚板の奥側を僅かに持ち上げることで第２の取り付け支持部と嵌込み部の嵌合が外れ、この状態で棚板を手前に引き出すことで第１の取付け支持部と嵌め受け部の係合が外れる構成としたから、棚板をブラケットに対しスムーズに装脱することができ，棚板の高さ調整操作が便宜である。
【００１３】
更に、棚板とブラケットは、前後・左右動の阻止は勿論、突き上げ力に対する抵抗力が大きく、意に反する脱落が防止でき、安全強固な棚装置が得られる。
【００１４】
棚板とブラケットとの取り付け構造が外観し得ないため、外観体裁、陳列体裁が良好である等の優れた効果を有する。
【発明を実施するための最良の形態】
【００１５】
以下、図面に基づき本発明に係る棚装置の具体的な実施の形態を説明する。
図１は、棚装置を示す斜視図である。
棚装置は、一定間隔開いた複数の取付け穴５１を備えた左右一対の棚柱５、５と、任意に選択した取付け穴５１に係合するフック１３を備えたブラケット１と、ブラケット１の上面に配備される棚板２とから成る。
【００１６】
ブラケット１は、アーム状の棚受け部１１の基端部１１ｄに略直角状に屈曲するフック取付け部１２を備え、フック取付け部１２の垂直面にフック１３を突設している（図２参照）。棚板２は、左右一対のブラケット１、１間隔に対応する長さで、アーム状の棚受け部１１長さに対応する幅を有する平板に設定されている。
【００１７】
図２は、ブラケット１と棚板２との脱着可能な取り付け構造を示す分離斜視図である。上記ブラケット１は、断面矩形の中空体で、棚受け部１１の先端１１ｂに第１の取り付け支持部３が設けられている。実施の形態では第１の取付け支持部、つまり嵌入部３Ａは、先端１１を開口３１し、左右側壁１１ｃ、１１ｃ間に水平状の丸棒軸３２を掛け渡して構成している。
【００１８】
更に、ブラケット１の棚受け部１１の基端部１１の上面１１ａには、第２の取付け支持部４が設けてある。実施の形態では第２の取付け支持部４、つまり嵌込み凹み部４Ａは、棚受け部１１の上面１１ａの面内に略矩形の嵌込み用凹み穴４ａを開設して構成している。
【００１９】
上記棚板２の裏面２ａには、前記第１の取付け支持部（嵌入部）３Ａに対応し脱着する嵌め受け部２３と、第２の取り付け支持部（嵌め込み凹み部）４Ａに対応し嵌脱する嵌込み部２４が設けられる。
【００２０】
この嵌め受け部２３は、図１及び図２で示すように面内の左右端部に棚板２の裏面にビス止着するビス孔２１ａを設けた平板状取付け基板（前側の基板）２１と、基板２１の面内中央に前記水平状の丸棒軸３２に係合する引っ掛け凹み部２３ｂを備える立ち上がりフック部２３ａとから成り、フック部２３ａは上記嵌入部３Ａの先端開口３１（左右側壁１１ｃ間）に嵌入する幅（厚み）に設定してある。
【００２１】
上記嵌込み部２４は、面内の左右端部に棚板２の裏面にビス止着するビス孔２２ａを設けた平板状取付け基板２２と、基板２２の面内中央に立ち上がる前記嵌込み用凹み穴４ａに嵌脱する突起状平板２４ａとから成る。
【００２２】
図６は、棚板２とブラケット１との取り付け構造における第２の実施の形態を示す斜視図である。この実施の形態では、棚板２の裏面に止着する嵌め受け部２３と嵌込み部２４が、長尺な取付け基板２５に配備してある（図７参照）。
【００２３】
この取付け基板２５は、図７及び図８で示すように基板（底板）２５ｃと左右側壁２５ａ、２５ａとからなる下開口有底の断面コ字状で、左右側壁２５ａの内面に内方向へ突出する一対の支え片２５ｂ、２５ｂを設け、この支え片２５ｂ間にブラケット１が嵌脱する。また、内側の側壁２５ａにビス孔２５ｄを備えた取付け板２５ｅを突設している（図６参照）。この取付け基板２５の先端に後述する嵌め受け部２３を設け、基端側に後述する嵌込み部２４を設けている。
【００２４】
図７及び図８で示すように、厚みの薄い平板状のブラケット１に設ける第１の取付け支持部３は、つまり実施の形態の嵌入部３Ａはブラケット先端１１ｂに連続状に設けられ、上面が先端１１ｂ上面に高さを揃えた前方に突出する平板状の突出先頭部３３に形成され、この突出先頭部３３の下部は内向きに下降傾斜する傾斜面部３４とし、嵌脱操作の容易性を図る。
【００２５】
ブラケット１の第２の取付け支持部４は、棚受け部１１の上面１１ａの基端１１ｄ側に設けられる嵌込み凹部４Ｂで、図１０で示すように棚受け部１１上面高さに対しフック取付部１２の上面高さを低くした窪み部１２ｂを設けて、棚受け部１１基端に設けた段差壁１１ｄと、この段差壁１１ｄとの間で凹み部４Ｂを構成するスライダー部４１とから成る。
【００２６】
スライダー部４１は、図１０で示すように、下面開口の断面コ字状で、フック取付部１２の上面（窪み部１２ｂ上面）に跨がり状に取り付けられ、前後にスライド移動する。スライダー部４１の一側面４１ｂの内側に突子４１ｃを設け、この突子４１ｃに対応してフック取付部１２の面内に横長の窓孔１２ｃを開設し、スライダー部４１の前後移動を可能にしている。
【００２７】
スライダー部４１の上面には、図１１で示すように一端４２ａ（先端面側）をスライダー部４１の先端面に揃え、他端４２ｂをスライダー部４１の他端面よりフック１３上方向へ突出させた凹み形成兼用ストッパ部４２を一体に備えている。スライダー部４１を基端側へ移動させたとき、一端面４２ａと段差壁１１ｄとの間に嵌め込み凹み部４Ｂを構成すると共に、他端部４２ｂが取り付け穴５１に係止した取付穴５１内のフック１３上に位置し、フック１３の脱落を阻止する。
【００２８】
上記棚板（取付け基板２５）２の先端に設けられる嵌め受け部２３は、図８で示すように、前記突出先頭部３３の全体を包み込む被せ状キャップ２３ｃで構成している。また、図１１で示すように嵌込み部２４は、取付け基板２５の基端側に両側壁２５ａ、２５ａ間に掛け渡し状に配備された突状平板２４ｂで、上記嵌込み凹み部４Ｂに嵌脱する。
【００２９】
このような構成を有する棚措置では、第１の実施の形態における棚板２とブラケット１の取り付けに際しては、図１及び図２で示すように、棚板２をブラケット１の上方にほぼ平行状に位置させた状態で、棚板２を支柱５側へ前進させると、嵌め受け部（フック部２３ａ）２３が嵌入部３Ａの左右壁面１１ｃ間に嵌入し、且つフック部２３ａの引っ掛け凹み部２３ｂが丸棒軸３２に係止する。
【００３０】
これにより、図２及び図５で示すように、突き上げ力による棚板２の脱落を阻止でき、且つ図３で示すように棚板２の嵌込み部（突起状平板２４ａ）２４が、嵌込み凹部４Ａ上に位置決めされる。ここで、フック部２３ａと嵌入部３Ａとの係り部分を支点に棚板２を降下させることで、突起状平板２４ａが嵌込み用凹み穴４ａに嵌着し、棚板２の前後・左右動を阻止する（図４及び図５参照）。
【００３１】
第２の実施の形態における棚板２とブラケット１の取り付けに際しては、予めスライダー部４１を段差壁１１ｄ側へ移動させて、フック１３を支柱５の取付け穴５１へ入れ、穴５１に落とし込んだ後に、スライダー部４１を支柱５側へ移動させることで、凹み部形成兼用ストッパ部４２の他端部４２ｂが取り付け穴５１に嵌入し、且つ段差壁１１ｄとの間に嵌込み凹部４Ｂを構成する（図１０参照）。
【００３２】
この状態で、図７及び図８で示すように、棚板２をブラケット１の上方へほぼ平行状に位置させた状態で、棚板２を支柱側へ前進させると、キャップ２３ｃ内に突出先頭部３３が進入して被せ状に係止し、突き上げ力による棚板２の脱落を阻止し、且つ図９及び図１１に示すように、嵌込み部（突状平板２４ｂ）２４が嵌込み凹部４Ｂに対応位置決めされる。
【００３３】
ここで、キャップ２３ｃと突出先頭部３３との係り部分を支点に、棚板２を降下させることで突起状平板２４ａが嵌込み凹部４Ｂに嵌着し、棚板２の前後・左右動を阻止する（図６及び図１２参照）。
【図面の簡単な説明】
【００３４】
【図１】実施の形態の棚装置を示す分離斜視図である。
【図２】ブラケットと棚板の取り付け構成を示す説明斜視図である。
【図３】第１の取付け支持部と嵌め受け部が係合した状態を示す斜視図である。
【図４】棚板をブラケットに取り付けた状態を示す斜視図である。
【図５】第４図の要部断面図である。
【図６】第２の実施の形態を示す棚装置の斜視図である。
【図７】第２の実施の形態を示す棚装置の分離斜視図である。
【図８】突出先頭部を被せ状のキャップに係合させる状態を示す部分拡大斜視図である。
【図９】第１の取付け支持部を取り付けた状態を示す斜視図である。
【図１０】第２の取付け支持部と嵌込み部との関係を示す部分拡大斜視図である。
【図１１】図１０の要部を示す拡大断面図である。
【図１２】ブラケットと棚板を取り付けた状態を示す断面図である。
【図１３】従来の棚装置を示す分離斜視図である。
【符号の説明】
【００３５】
１      ブラケット
２      棚板
３      第１の取付け支持部
４      第２の取付け支持部
５      棚柱
１１    棚受け部
１２    フック取付部
１３    フック
２１    取付け基板
２３    嵌め受け部
２４    嵌込み部
２５    長尺取付け基板
３Ａ    嵌入部  
4 Ａ    嵌込み凹部
１１ｄ  段差壁
１２ｂ  窪み部
２３ａ  立ち上がりフック部
２３ｃ  キャップ
２４ａ  突起状平板
２４ｂ  突状平板
３１    開口
３２    丸棒軸  
３３    突出先頭部
４１    スライダー部
４２    凹部形成兼用ストッパ部
５１    取付け穴
【図１】
2017047144.tif 000003
【図２】
2017047144.tif 000004
【図３】
2017047144.tif 000005
【図４】
2017047144.tif 000006
【図５】
2017047144.tif 000007
【図６】
2017047144.tif 000008
【図７】
2017047144.tif 000009
【図８】
2017047144.tif 000010
【図９】
2017047144.tif 000011
【図１０】
2017047144.tif 000012
【図１１】
2017047144.tif 000013
【図１２】
2017047144.tif 000014
【図１３】
2017047144.tif 000015